(57)【要約】【課題】  複数の表示領域の各々を別々の駆動回路で駆動する電気光学装置において、駆動回路の出力特性の違いに起因する表示領域間の画質のばらつきを低減する。【解決手段】  隣り合う複数のデータ線を含む第１のデータ線グループのうち、隣り合う複数のデータ線を含み該第１のデータ線グループに隣り合う第２のデータ線グループとの境界線に接する１または複数のデータ線を含む第３のデータ線グループを除くデータ線を第１のデータ線駆動回路で駆動し、前記第２のデータ線グループのうち、前記第１のデータ線グループとの境界線に接する１または複数のデータ線を含む第４のデータ線グループを除くデータ線を第２のデータ線駆動回路で駆動し、前記第３のデータ線グループを前記第２のデータ線駆動回路で駆動し、前記第４のデータ線グループを前記第１のデータ線駆動回路で駆動する。【選択図】      図６
2005157058.tif 000002
【特許請求の範囲】
【請求項１】
複数の走査線と複数のデータ線との各交差に設けられた画素と、
前記複数の走査線の各々を順次選択するとともに、選択した走査線に走査信号を供給す
る走査線駆動回路と、
前記各走査線に走査信号が供給されている期間において、当該走査線上に設けられた画
素の階調を表すデータ信号を前記データ線の各々に供給する複数のデータ線駆動回路と
を有する電気光学装置において、
隣り合う複数のデータ線を含む第１のデータ線グループのうち、隣り合う複数のデータ
線を含み該第１のデータ線グループに隣り合う第２のデータ線グループとの境界線に接す
る１または複数のデータ線を含む第３のデータ線グループを除くデータ線を第１のデータ
線駆動回路で駆動し、
前記第２のデータ線グループのうち、前記第１のデータ線グループとの境界線に接する
１または複数のデータ線を含む第４のデータ線グループを除くデータ線を第２のデータ線
駆動回路で駆動し、
前記第３のデータ線グループを前記第２のデータ線駆動回路で駆動し、
前記第４のデータ線グループを前記第１のデータ線駆動回路で駆動する
ことを特徴とする電気光学装置。
【請求項２】
前記第３のデータ線グループに含まれる複数のデータ線のうち所定の間隔で選択された
データ線を前記第２のデータ線駆動回路で駆動し、
前記第３のデータ線グループに含まれる複数のデータ線のうち選択されていないデータ
線を前記第１のデータ線駆動回路で駆動し、
前記第４のデータ線グループに含まれる複数のデータ線のうち所定の間隔で選択された
データ線を前記第１のデータ線駆動回路で駆動し、
前記第４のデータ線グループに含まれる複数のデータ線のうち選択されていないデータ
線を前記第２のデータ線駆動回路で駆動する
ことを特徴とする請求項１に記載の電気光学装置。
【請求項３】
前記所定の間隔は、前記第１のデータ線グループと前記第２のデータ線グループとの境
界線から離れるに従って、密な間隔から疎な間隔に変化するように定められている
ことを特徴とする請求項２に記載の電気光学装置。
【請求項４】
前記第１のデータ線駆動回路から前記第１のデータ線グループにデータ信号を供給する
ための第１の配線グループと、
前記第２のデータ線駆動回路から前記第２のデータ線グループにデータ信号を供給する
ための第２の配線グループと、
前記第２のデータ線駆動回路から前記第３のデータ線グループにデータ信号を供給する
ための第３の配線グループと、
前記第１のデータ線駆動回路から前記第４のデータ線グループにデータ信号を供給する
ための第４の配線グループと、
前記第１および第２のデータ線駆動回路が設けられた第１の基板と
を有し、
前記第３の配線グループと前記第４の配線グループとが前記第１の基板上で交差させて
設けられている
ことを特徴とする請求項１乃至３のいずれかに記載の電気光学装置。
【請求項５】
前記第１のデータ線駆動回路から前記第１のデータ線グループにデータ信号を供給する
ための第１の配線グループと、
前記第２のデータ線駆動回路から前記第２のデータ線グループにデータ信号を供給する
ための第２の配線グループと、
前記第２のデータ線駆動回路から前記第３のデータ線グループにデータ信号を供給する
ための第３の配線グループと、
前記第１のデータ線駆動回路から前記第４のデータ線グループにデータ信号を供給する
ための第４の配線グループと、
前記走査線および前記データ線が設けられた第２の基板と
を有し、
前記第３の配線グループと前記第４の配線グループとが前記第２の基板上で交差させて
設けられている
ことを特徴とする請求項１乃至３のいずれかに記載の電気光学装置。
【請求項６】
前記第１のデータ線駆動回路から前記第１のデータ線グループにデータ信号を供給する
ための第１の配線グループと、
前記第２のデータ線駆動回路から前記第２のデータ線グループにデータ信号を供給する
ための第２の配線グループと、
前記第２のデータ線駆動回路から前記第３のデータ線グループにデータ信号を供給する
ための第３の配線グループと、
前記第１のデータ線駆動回路から前記第４のデータ線グループにデータ信号を供給する
ための第４の配線グループと、
前記第１乃至第４の配線グループを設けるための第３の基板と
を有し、
前記第３の配線グループと前記第４の配線グループとが前記第３の基板上で交差させて
設けられている
ことを特徴とする請求項１乃至３のいずれかに記載の電気光学装置。
【請求項７】
複数の走査線と複数のデータ線との各交差に設けられた画素と、前記複数の走査線の各
々を順次選択するとともに、選択した走査線に走査信号を供給する走査線駆動回路と、前
記各走査線に走査信号が供給されている期間において、当該走査線上に設けられた画素の
階調を表すデータ信号を前記データ線の各々に供給する複数のデータ線駆動回路とを有し
、
隣り合う複数のデータ線を含む第１のデータ線グループのうち、隣り合う複数のデータ
線を含み該第１のデータ線グループに隣り合う第２のデータ線グループとの境界線に接す
る１または複数のデータ線を含む第３のデータ線グループを除くデータ線を第１のデータ
線駆動回路で駆動し、
前記第２のデータ線グループのうち、前記第１のデータ線グループとの境界線に接する
１または複数のデータ線を含む第４のデータ線グループを除くデータ線を第２のデータ線
駆動回路で駆動し、
前記第３のデータ線グループを前記第２のデータ線駆動回路で駆動し、
前記第４のデータ線グループを前記第１のデータ線駆動回路で駆動する
電気光学装置
を制御するための制御装置において、
前記第１のデータ線グループのうち前記第３のデータ線グループを除くデータ線および
前記第４のデータ線グループを駆動するためのデータ信号を前記第１のデータ線駆動回路
に供給し、
前記第２のデータ線グループのうち前記第４のデータ線グループを除くデータ線および
前記第３のデータ線グループを駆動するためのデータ信号を前記第２のデータ線駆動回路
に供給する
ことを特徴とする制御装置。
【請求項８】
請求項１乃至６のいずれかに記載の電気光学装置を備えたことを特徴とする電子機器。
【発明の詳細な説明】
【技術分野】
【０００１】
本発明は、電気光学装置の画質の低下を改善する技術に関する。
【背景技術】
【０００２】
有機ＥＬ（Electro Luminescence）などの電気光学物質の電気光学的な変化により表示
を行う電気光学装置では、多くの場合、画面全体を複数の表示領域に分割し、各領域毎に
設けられた駆動回路によって各領域に画像を表示する構成となっている。図３は、表示領
域が左右２つに分割され、分割された表示領域の各々に対してデータ線駆動回路が設けら
れている電気光学装置の構成を示す図である。電気光学装置１の表示領域の左領域Ｌに属
するデータ線の各々にはデータ線駆動回路１Ｌが、右領域Ｒに属するデータ線の各々には
データ線駆動回路１Ｒが接続されている。また、データ線駆動回路１Ｌ，１Ｒは、それぞ
れ電流生成回路２Ｌ，２Ｒを有している。制御装置Ｃは、入力された画像データに基づい
て、各データ線に供給すべき電流値を求め、この電流値をデータ線駆動回路１Ｌ，１Ｒに
供給する。そして、電流生成回路２Ｌ、２Ｒがこの電流値に基づいて生成した電流を、そ
れぞれ対応する各データ線に供給する。
【０００３】
上記の電気光学装置では、データ線駆動回路の出力特性に個体差が存在するため、出力
特性が同じになるように調整が行われる。しかし、いかに綿密な調整を行ったとしても出
力特性の個体差がわずかに残ってしまう。図５(a)は、このような電気光学装置に単色か
らなる画像を表示させたときの１水平走査線上の輝度分布を示す図である。同図に示すよ
うに、表示領域の分割線を境界として輝度の差が生じる。また、図４(a)は、この場合に
画面に表示される画像イメージを示す図である。同図に示されるように、輝度の差は画質
の低下を招くこととなるから好ましくない。なお、図４および図５は理解を容易にするた
めに誇張された表現となっている。
【０００４】
ところで、液晶表示装置において、データ線駆動回路（いわゆる、Ｘドライバ回路）の
中の正／負のＤ／Ａコンバータの出力特性のばらつきに起因する画質低下を補正する技術
が提案されている（例えば、特許文献１）。特許文献１に記載の技術では、極性反転駆動
を行う液晶表示装置において、走査期間毎に正／負のＤ／Ａコンバータに供給される映像
信号の出力順を切り替えることにより、正／負のＤ／Ａコンバータの出力電圧のばらつき
に起因する画質のムラの低減を図っている。
【０００５】
【特許文献１】特開２００３−７６３３８号公報
【発明の開示】
【発明が解決しようとする課題】
【０００６】
しかしながら、特許文献１に記載の技術は、正／負のＤ／Ａコンバータの出力電圧のば
らつきに起因する画質のムラの低減を図ったものであり、表示領域毎に設けられた駆動回
路の出力特性の違いに起因する表示領域間の画質のばらつきを低減することはできない。
本発明は、上述した背景の下になされたものであり、複数の表示領域の各々を別々の駆
動回路で駆動する電気光学装置において、駆動回路の出力特性の違いに起因する表示領域
間の画質のばらつきを低減することのできる技術を提供することを目的とする。
【課題を解決するための手段】
【０００７】
上述の課題を解決するために、本発明は、複数の走査線と複数のデータ線との各交差に
設けられた画素と、前記複数の走査線の各々を順次選択するとともに、選択した走査線に
走査信号を供給する走査線駆動回路と、前記各走査線に走査信号が供給されている期間に
おいて、当該走査線上に設けられた画素の階調を表すデータ信号を前記データ線の各々に
供給する複数のデータ線駆動回路とを有する電気光学装置において、隣り合う複数のデー
タ線を含む第１のデータ線グループのうち、隣り合う複数のデータ線を含み該第１のデー
タ線グループに隣り合う第２のデータ線グループとの境界線に接する１または複数のデー
タ線を含む第３のデータ線グループを除くデータ線を第１のデータ線駆動回路で駆動し、
前記第２のデータ線グループのうち、前記第１のデータ線グループとの境界線に接する１
または複数のデータ線を含む第４のデータ線グループを除くデータ線を第２のデータ線駆
動回路で駆動し、前記第３のデータ線グループを前記第２のデータ線駆動回路で駆動し、
前記第４のデータ線グループを前記第１のデータ線駆動回路で駆動することを特徴とする
電気光学装置を提供する。
上記の構成による電気光学装置によれば、複数に分割された表示領域の各々を別々のデ
ータ線駆動回路を用いて駆動する電気光学装置において、データ線駆動回路の出力特性の
違いに起因する表示領域境界付近の輝度の差を、人間の眼に視認されにくくすることがで
きる。
【０００８】
本発明にかかる電気光学装置の好ましい態様においては、前記第３のデータ線グループ
に含まれる複数のデータ線のうち所定の間隔で選択されたデータ線を前記第２のデータ線
駆動回路で駆動し、前記第３のデータ線グループに含まれる複数のデータ線のうち選択さ
れていないデータ線を前記第１のデータ線駆動回路で駆動し、前記第４のデータ線グルー
プに含まれる複数のデータ線のうち所定の間隔で選択されたデータ線を前記第１のデータ
線駆動回路で駆動し、前記第４のデータ線グループに含まれる複数のデータ線のうち選択
されていないデータ線を前記第２のデータ線駆動回路で駆動することを特徴とする。
上記の構成によれば、領域の境界線近傍で、所定の間隔で選択されたデータ線を異なる
データ線駆動回路で駆動する。これによって、データ線駆動回路の出力特性の違いに起因
する輝度の差が平均化されるから、境界付近の輝度の差を人間の眼に視認されにくくする
ことができる。
さらに好ましくは、前記所定の間隔は、前記第１のデータ線グループと前記第２のデー
タ線グループとの境界線から離れるに従って、密な間隔から疎な間隔に変化するように定
められていることを特徴とすることを特徴とする。この構成によれば、境界付近の輝度の
変化が滑らかであるから、境界付近の輝度の差を人間の眼に視認されにくくすることがで
きる。
【０００９】
さらに、本発明は、前記第１のデータ線駆動回路から前記第１のデータ線グループにデ
ータ信号を供給するための第１の配線グループと、前記第２のデータ線駆動回路から前記
第２のデータ線グループにデータ信号を供給するための第２の配線グループと、前記第２
のデータ線駆動回路から前記第３のデータ線グループにデータ信号を供給するための第３
の配線グループと、前記第１のデータ線駆動回路から前記第４のデータ線グループにデー
タ信号を供給するための第４の配線グループと、前記第１および第２のデータ線駆動回路
が設けられた第１の基板とを有し、前記第３の配線グループと前記第４の配線グループと
が前記第１の基板上で交差させて設けることとしても好ましい。
この構成によれば、前記第１の基板上で配線を交差させるから、走査線およびデータ線
が設けられた電気光学パネル上で配線を交差させる必要がなくなる。よって、電気光学パ
ネルを小型化することができる。
【００１０】
また、本発明は、前記第１のデータ線駆動回路から前記第１のデータ線グループにデー
タ信号を供給するための第１の配線グループと、前記第２のデータ線駆動回路から前記第
２のデータ線グループにデータ信号を供給するための第２の配線グループと、前記第２の
データ線駆動回路から前記第３のデータ線グループにデータ信号を供給するための第３の
配線グループと、前記第１のデータ線駆動回路から前記第４のデータ線グループにデータ
信号を供給するための第４の配線グループと、前記走査線および前記データ線が設けられ
た第２の基板とを有し、前記第３の配線グループと前記第４の配線グループとが前記第２
の基板上で交差させて設けることとしても好ましい。
この構成によれば、前記第２の基板上で配線を交差させるから、データ線駆動回路が設
けられた基板上で配線を交差させる必要がなくなる。よって、データ線駆動回路が設けら
れた基板を小型化することができる。
【００１１】
また、本発明は、前記第１のデータ線駆動回路から前記第１のデータ線グループにデー
タ信号を供給するための第１の配線グループと、前記第２のデータ線駆動回路から前記第
２のデータ線グループにデータ信号を供給するための第２の配線グループと、前記第２の
データ線駆動回路から前記第３のデータ線グループにデータ信号を供給するための第３の
配線グループと、前記第１のデータ線駆動回路から前記第４のデータ線グループにデータ
信号を供給するための第４の配線グループと、前記第１乃至第４の配線グループを設ける
ための第３の基板とを有し、前記第３の配線グループと前記第４の配線グループとが前記
第３の基板上で交差させて設けることとしても好ましい。
この構成によれば、前記第３の基板上で配線を交差させるから、電気光学パネル上ある
いはデータ線駆動回路が設けられた基板上で配線を交差させる必要がなくなる。よって、
電気光学パネルおよびデータ線駆動回路が設けられた基板を小型化することができる。
【００１２】
また、本発明は、複数の走査線と複数のデータ線との各交差に設けられた画素と、前記
複数の走査線の各々を順次選択するとともに、選択した走査線に走査信号を供給する走査
線駆動回路と、前記各走査線に走査信号が供給されている期間において、当該走査線上に
設けられた画素の階調を表すデータ信号を前記データ線の各々に供給する複数のデータ線
駆動回路とを有し、隣り合う複数のデータ線を含む第１のデータ線グループのうち、隣り
合う複数のデータ線を含み該第１のデータ線グループに隣り合う第２のデータ線グループ
との境界線に接する１または複数のデータ線を含む第３のデータ線グループを除くデータ
線を第１のデータ線駆動回路で駆動し、前記第２のデータ線グループのうち、前記第１の
データ線グループとの境界線に接する１または複数のデータ線を含む第４のデータ線グル
ープを除くデータ線を第２のデータ線駆動回路で駆動し、前記第３のデータ線グループを
前記第２のデータ線駆動回路で駆動し、前記第４のデータ線グループを前記第１のデータ
線駆動回路で駆動する電気光学装置を制御するための制御装置において、前記第１のデー
タ線グループのうち前記第３のデータ線グループを除くデータ線および前記第４のデータ
線グループを駆動するためのデータ信号を前記第１のデータ線駆動回路に供給し、前記第
２のデータ線グループのうち前記第４のデータ線グループを除くデータ線および前記第３
のデータ線グループを駆動するためのデータ信号を前記第２のデータ線駆動回路に供給す
ることを特徴とする制御装置を提供する。
上記の構成による制御装置によれば、複数に分割された表示領域の各々を別々のデータ
線駆動回路を用いて駆動する電気光学装置において、データ線駆動回路の出力特性の違い
に起因する表示領域境界付近の輝度の差を、人間の眼に視認されにくくすることができる
。
【００１３】
また、本発明は、上述の電気光学装置を備えたことを特徴とする電子機器を提供する。
この電子機器は、上述の電気光学装置を備えるから、データ線駆動回路の出力特性の違い
に起因する画質低下の少ない表示が可能となる。
【発明を実施するための最良の形態】
【００１４】
［第１実施形態］
図１は、本発明の第１実施形態にかかる電気光学装置５の構成を示す図である。
電気光学パネル１０は、ｍ本の走査線１１と２ｎ本のデータ線１２とを有する。各走査
線１１と各データ線１２とは互いに交差し、各々の交差部分には画素として機能する画素
回路１６が設けられている。画素回路１６は有機ＥＬ素子（図示省略）を有しており、供
給された電流に応じた輝度で発光する。電源回路５０は、電気光学装置５の各部に電源を
供給する回路である。
なお、本実施形態では、単色の有機ＥＬ素子を用いた電気光学装置の例を用いて説明す
る。
【００１５】
図２は、走査線駆動回路２１から供給される信号を示す図である。走査線駆動回路２１
は、制御装置４０による制御のもとで、走査線１１を１本ずつ順番に選択するための走査
信号Ｙ１、Ｙ２、…、Ｙｍを生成する回路である。具体的には、図２に示すように、走査
線駆動回路２１は、１垂直走査期間（１Ｆ）の開始時点から、１水平走査期間（１Ｈ）に
相当する幅のパルスを１行目の走査線１１に走査信号Ｙ１として供給し、以降、このパル
スを順次シフトして、２行目、３行目、…、ｍ行目の走査線１１の各々に各走査信号Ｙ２
、Ｙ３、…、Ｙｍとして供給する。
また、図２に示すように、走査線駆動回路２１は、走査信号Ｙ１、Ｙ２、…、Ｙｍの論
理レベルを反転した信号を、それぞれ発光制御信号Ｖｇ１、Ｖｇ２、…、Ｖｇｍとして生
成して電気光学パネル１０に供給する。ただし、図１においては図面が複雑になるのを防
ぐために、発光制御信号Ｖｇ１を伝送する配線の図示が省略されている。
【００１６】
図６は、データ線駆動回路３１および３２の構成を示す図である。データ線駆動回路３
１および３２は、ＦＰＣ（Flexible Printed Circuit）３８を介して複数のデータ線１２
に接続されており、複数の画素回路１６の各々に対応するデータ線１２を介してデータ信
号に応じた電流を供給する。データ線駆動回路３１とデータ線駆動回路３２は同一の構成
を有しているから、ここではデータ線駆動回路３１について説明する。
データ線駆動回路３１は、データ線１２毎に電流生成回路３１１を備えている。各電流
生成回路３１１には、制御装置４０から画像データ（Ｄｐｉｘ）が供給される。この画像
データは、各画素回路１６による表示内容（階調）を数値で指定するデジタルデータであ
る。電流生成回路３１１は、供給された画像データの値に応じた電流Ｉｏｕｔを生成する
とともに、この電流Ｉｏｕｔを対応するデータ線１２にデータ信号として流す。例えば、
３列目のデータ線１２に対応する電流生成回路３１１は、選択された走査線１１と３列目
のデータ線１２との交差に位置する画素回路１６に対応する画像データを制御装置４０か
ら取得し、この画像データに応じた電流Ｉｏｕｔを３列目のデータ線１２に流す。
【００１７】
次に、データ線駆動回路３１および３２とデータ線１２との接続について説明する。
データ線駆動回路３１は、走査線駆動回路２１により選択された走査線１１に位置する
画素回路１６に対し、その表示内容（階調）に応じたデータ信号Ｘ１、Ｘ２、…、Ｘｎ−
２、Ｘｎ−１、Ｘｎ＋１（ｎは自然数）を、それぞれ１列目、２列目、…、ｎ−２列目、
ｎ−１列目、ｎ＋１列目のデータ線１２を介して供給する回路である。一方、データ線駆
動回路３２は、走査線駆動回路２１により選択された走査線１１に位置する画素回路１６
に対し、その表示内容（階調）に応じたデータ信号Ｘｎ、Ｘｎ＋２、Ｘｎ＋３、…、Ｘ２
ｎ−１、Ｘ２ｎ（ｎは自然数）を、それぞれｎ列目、ｎ＋２列目、ｎ＋３列目、…、２ｎ
−１列目、２ｎ列目のデータ線１２を介して供給する回路である。
【００１８】
すなわち、データ線駆動回路３１は電気光学パネル１０を左右対称に分割した２つの領
域のうち、左側の領域に設けられた１列目からｎ−１列目、および、右側の領域に設けら
れたｎ＋１列目の画素回路１６にデータ信号を供給する。一方、データ線駆動回路３２は
左側の領域に設けられたｎ列目、および、右側の領域に設けられたｎ＋２列目から２ｎ列
目の画素回路１６にデータ信号を供給する。
この場合、ｎ列目のデータ線１２とｎ＋１列目のデータ線１２を交差させて配線するこ
とが必要となる。配線を交差させる位置は、図８に示すように電気光学パネル１０のガラ
ス基板上でもよいし、図９に示すようにＦＰＣ３８上でもよい。あるいは、図１０に示す
ようにデータ線駆動回路３１および３２が実装されている配線基板上で交差させてもよい
。
なお、特許請求の範囲に記載の第１の基板は、例えば、本実施形態においては、データ
線駆動回路３１および３２が実装されている配線基板に対応している。また、特許請求の
範囲に記載の第２の基板は、例えば、本実施形態においては、電気光学パネル１０のガラ
ス基板に対応している。また、特許請求の範囲に記載の第３の基板は、例えば、本実施形
態においては、ＦＰＣ３８に対応している。
【００１９】
次に、データ線駆動回路３１および３２の内部構成について説明する。
データ線駆動回路３１は、上述した電流生成回路３１１のほか、データ番号カウンタ３
１２、アドレスデコーダ３１３、ＣＰＵＩＦ（Central Processing Unit Interface）３
１４、データバス３１５およびｎ個のラッチＳ１、Ｓ２，…、Ｓｎ−２、Ｓｎ−１、Ｓｎ
＋１を有している。ラッチＳ１、Ｓ２、…、Ｓｎ−２、Ｓｎ−１はそれぞれ１列目、２列
目、…、ｎ−２列目、ｎ−１列目の電流生成回路３１１に接続されており、ラッチＳｎ＋
１は、ｎ＋１列目の電流生成回路３１１に接続されている。
データ線駆動回路３２は、上述した電流生成回路３２１のほか、データ番号カウンタ３
２２、アドレスデコーダ３２３、ＣＰＵＩＦ３２４、データバス３２５およびｎ個のラッ
チＳｎ＋２，Ｓｎ＋３、…、Ｓ２ｎ−１、Ｓ２ｎおよびＳｎを有している。ラッチＳｎ＋
２、Ｓｎ＋３、…、Ｓ２ｎ−１、Ｓ２ｎはそれぞれｎ＋２列目、ｎ＋３列目、…、２ｎ−
１列目、２ｎ列目の電流生成回路３２１に接続されており、ラッチＳｎは、ｎ列目の電流
生成回路３２１に接続されている。
【００２０】
次に、データ線駆動回路３１および３２の動作について説明する。ここで、ＣＰＵＩＦ
３１４および３２４には、各データ駆動回路が何番目のデータ信号を取り込むかを表す情
報が制御装置４０から供給される。ＣＰＵＩＦ３１４、３２４は、この情報に基づいて、
何番目のデータ信号を取り込むかを表す指示をアドレスデコーダ３１３、３２３にそれぞ
れ供給する。制御装置４０は画像データバッファ４１を有しており、画像データバッファ
４１から各データ線駆動回路に１水平走査期間の開始を表すスタート信号、転送クロック
信号および画像データが供給される構成となっている。
まず、走査線１１のひとつが選択されると、制御装置４０からデータ線駆動回路３１お
よび３２にスタート信号が供給される。また、データバス３１５および３２５には、選択
された走査線１１上の画素に供給されるべきデータ信号が制御装置４０から供給される。
スタート信号が供給されると、データ番号カウンタ３１２および３２２は、制御装置４０
から供給される転送クロックに同期してデータ番号を１から順にカウントする。アドレス
デコーダ３１３および３２３は、データ番号カウンタ３１２および３２２でカウントされ
たカウント値に相当する番号のデータ信号を、そのカウント値に相当する番号のラッチに
取り込むための指示を各ラッチに与える。具体的には、アドレスデコーダ３１３は、カウ
ント値が１のとき、１番目のデータ信号を取り込むことの指示をラッチＳ１に与える。そ
の後、アドレスデコーダ３１３は、カウント値が更新される毎に同様の動作を繰り返し、
カウント値がｎ−１のとき、ｎ−１番目のデータ信号を取り込むことの指示をラッチＳｎ
−１に与える。
【００２１】
次に、カウント値がｎのとき、アドレスデコーダ３１３はデータ信号を取り込むことの
指示を行わず、その代わりにアドレスデコーダ３２３が、ｎ番目のデータ信号を取り込む
ことの指示をラッチＳｎに与える。そして、カウント値がｎ＋１のとき、アドレスデコー
ダ３１３が、ｎ＋１番目のデータ信号を取り込むことの指示をラッチＳｎ＋１に与える。
続いて、カウント値がｎ＋２のとき、アドレスデコーダ３２３が、ｎ＋２番目のデータ信
号を取り込むことの指示をラッチＳｎ＋２に与える。その後、アドレスデコーダ３２３は
、カウント値が更新される毎に同様の動作を繰り返し、最後に、カウント値が２ｎのとき
、２ｎ番目のデータ信号を取り込むことの指示をラッチＳ２ｎに与える。
このようにして各ラッチにデータ信号が取り込まれると、電流生成回路３１１および３
２１は、各々に対応するラッチに取り込まれたデータ信号に応じた電流を生成し、データ
線１２の各々に電流を供給する。そして、この電流は、選択されている走査線１１とデー
タ線１２の各々との交差に設けられた画素回路１６に供給され、画素回路１６が有する有
機ＥＬ素子が供給された電流に応じた輝度で発光する。
【００２２】
図５(b)は、上述のように構成された電気光学装置５に単色からなる画像を表す画像デ
ータを入力した場合に、電気光学パネル１０に表示される画像の輝度分布を１水平走査線
について示した図である。横軸は、１水平走査線上の画素が属する列を、縦軸は、各画素
の輝度を表している。同図に示されるように、ｎ列目の画素は、ｎ＋２列目〜２ｎ列目の
画素と同じ輝度を有し、ｎ＋１列目の画素は、１列目〜ｎ−１列目の画素と同じ輝度を有
することとなる。
【００２３】
図４(b)は、図５(b)で表される輝度分布で電気光学パネル１０に表示される画像イメー
ジを示す図である。ただし、同図では、理解を容易にするために、画面の幅に対する画素
１列分の幅の比率を実際よりも大きく表現している。同図に示されるように、表示領域の
境界線を挟んで左右１列ずつの画素の輝度が入れ替わった状態となる。この１列の幅は概
ね数百μｍ程度のオーダーであり、この程度の波長を有する周期的な輝度の変化を例えば
数十ｃｍ〜数ｍ離れた位置から見た場合、人間の視覚の空間周波数特性により、人間の眼
には輝度が平均化されて見える。従って、図４(b)の表示を人間が見た場合、左右の境界
線付近に中間的な階調の領域が出現することとなり、図４(a)の場合に比べて左右の輝度
の差が視認されにくくなる。
【００２４】
以上、説明したように、本発明によれば、複数に分割された表示領域の各々を別々のデ
ータ線駆動回路を用いて駆動する電気光学装置において、データ線駆動回路の出力特性の
違いに起因する表示領域境界付近の輝度の差を、人間の眼に視認されにくくすることがで
きる。また、本発明にかかるデータ線駆動回路は、どの番号のデータ信号を取り込むかを
ＣＰＵＩＦに記憶させるから、任意の配線に対応したデータ信号の供給を行うことができ
る。
【００２５】
なお、上述の実施形態では、表示領域の境界線を挟んで左右のデータ線１本ずつに対し
てデータ線駆動回路からの配線を入れ替える態様を示したが、これは一例に過ぎず、左右
それぞれ複数本のデータ線に対して同様の処理を施すようにしてもよい。
図５(c)は、左右２本ずつのデータ線に対して、１本おきの間隔でデータ線駆動回路か
らの配線を入れ替えた場合の輝度分布を示す図である。ここでは、１列目〜ｎ−３列目、
ｎ−１列目、ｎ＋１列目、ｎ＋３列目のデータ線１２に対してデータ線駆動回路３１から
画像データを供給する一方、ｎ−２列目、ｎ列目、ｎ＋２列目、ｎ＋４列目〜２ｎ列目の
データ線１２に対してデータ線駆動回路３２から画像データを供給している。図４(c)は
、このとき電気光学パネル１０に表示される画像イメージを示す図である。同図に示され
るように、境界線付近で輝度の異なる領域が交互に出現することにより、図４(b)の場合
よりも左右の領域の輝度の差がさらに視認されにくくなる。
【００２６】
また、データ線駆動回路からの配線の入れ替えの本数をさらに増やすこととしてもよい
。また、境界線からみて１本目、２本目、５本目、６本目、９本目、１０本目というよう
に、２本おきに入れ替えるなど、種々の態様が採用され得る。最適な入れ替えの態様は、
実験によって求めることができる。
また、上記の実施形態ではデータ線駆動回路が２個の場合を例示したが、３個以上のデ
ータ線駆動回路を用いる場合にも本発明を適用することが可能である。この場合にも、上
記の実施形態と同様の効果が得られる。
【００２７】
また、上記の実施形態では単色表示の電気光学装置の例を用いて説明したが、フルカラ
ー表示の電気光学装置に本発明を適用してもよいのは勿論である。フルカラー表示の場合
、１つの画素は、例えば、Ｒ（赤）、Ｇ（緑）、Ｂ（青）の３つのサブ画素からなり、サ
ブ画素の各々にデータ線が接続されている。従って、これらの３本のデータ線に接続され
た配線を１組として交差させればよい。図１２は、３本１組で交差させた配線を示す図で
ある。このような構成によって、複数のデータ線駆動回路を用いたフルカラー表示の電気
光学装置の場合にも、データ線駆動回路の出力特性の違いに起因する表示領域境界付近の
輝度の差を、人間の眼に視認されにくくすることができる。
【００２８】
［第２実施形態］
次に、本発明の第２実施形態について説明する。
図５(d)は、領域の境界線からの距離に応じて、データ線駆動回路とデータ線との配線
の入れ替えの密度を変化させた場合の輝度分布の例を示す図である。同図に示されるよう
に、境界線からみて１本目、３本目、６本目というように、配線の入れ替えの間隔を密な
間隔から疎な間隔へと徐々に広くしていく。
【００２９】
図４(d)は、上述の配線を用いた場合に電気光学パネル１０に表示される画像の例を示
す図である。このように表示された画面を数十ｃｍ〜数ｍ離れた位置から人間が見た場合
、境界付近の輝度の変化が滑らかであるから、人間の眼には、左右の領域間の輝度の変化
が視認されにくくなる。
なお、配線の入れ替えの態様は上述の例に限るものではなく、列の数、間隔の広げ方に
関して種々の態様が採用され得る。最適な入れ替えの態様は、実験によって求めることが
できる。
【００３０】
［第３実施形態］
次に、本発明の第３実施形態について説明する。
第３実施形態においては、データ線駆動回路の前段にデータ分配回路４５１を有する制
御装置４５が設けられており、データ線駆動回路の代わりにデータ分配回路４５１がデー
タ信号の入れ替えを行う。第１実施形態と異なり、データ線駆動回路１Ｌおよび１Ｒはデ
ータ信号を入れ替える機能を有していない。
【００３１】
図７は本実施形態における制御装置４５の構成を示す図である。制御装置４５は、デー
タ分配回路４５１のほか、バッファメモリ４５２、バッファメモリ４５３、フレームメモ
リ４５４を有している。制御装置４５に入力された画像データは、フレームメモリ４５４
に格納される。格納された画像データのうち、データ線１２に供給されるべきデータ信号
はデータ分配回路４５１に供給される。次に、データ分配回路４５１は、データ信号の入
れ替えを行う。図１１は、境界線を挟んで左右１本ずつのデータ線１２の配線を入れ替え
た際に必要となるデータ信号の順番を示す図である。同図に示されるように、データ信号
ＸｎとＸｎ＋１の順番が入れ替えられる。データ分配回路４５１は、このように入れ替え
られたデータ信号のうち、Ｘ１、Ｘ２、…、Ｘｎ−２、Ｘｎ−１、Ｘｎ＋１をバッファメ
モリ４５２に格納し、Ｘｎ、Ｘｎ＋２、Ｘｎ＋３、…Ｘ２ｎ−１、Ｘ２ｎをバッファメモ
リ４５３に格納する。データ線駆動回路１Ｌ、データ線駆動回路１Ｒは、それぞれバッフ
ァメモリ４５２、４５３に格納されたデータ信号を取り出す。データ線駆動回路１Ｌおよ
び１Ｒと電気光学パネル１０との間は図２で示されるのと同様に配線されており、各デー
タ信号は、それぞれ所定のデータ線に供給されることとなる。
【００３２】
以上、説明したように、データ線駆動回路の前段にデータ分配回路を設け、このデータ
分配回路によってデータ信号の入れ替えを行うことによって、第１実施形態と同様の効果
が得られる。また、このような構成によれば、データ線駆動回路でデータ信号の入れ替え
を行う必要がないから、従来用いられているデータ線駆動回路に改変を加えることなく用
いることができる。また、制御装置からデータ線駆動回路へのデータ信号の供給を並列的
に行うことができるので、データ転送速度が低い場合に有利である。
なお、データ分配回路４５１の代わりに、ＣＰＵがプログラムを実行することによって
制御装置４５をデータ分配回路４５１と同様に機能させる構成としてもよい。
【００３３】
［変形例］
以上説明した形態に限らず、本発明は種々の形態で実施可能である。例えば、上述の実
施形態を以下のように変形した形態でも実施可能である。
上述した実施形態では、有機ＥＬを電気光学物質として用いた有機ＥＬ表示装置の例を
示したが、本発明は、有機ＥＬ表示装置以外の電気光学装置にも適用され得る。すなわち
、電流の供給や電圧の印加といった電気的な作用を輝度や透過率の変化といった光学的な
作用に変換する電気光学物質を用いて画像を表示する装置であれば本発明は適用され得る
。
【００３４】
例えば、能動素子としてＴＦＤを用いたアクティブマトリクス型の電気光学パネル、帯
状電極の交差によって液晶を挟持したパッシブマトリクス型の電気光学装置、着色された
液体と当該液体に分散された白色の粒子とを含むマイクロカプセルを電気光学物質として
用いた電気泳動表示装置、極性が相違する領域ごとに異なる色に塗り分けられたツイスト
ボールを電気光学物質として用いたツイストボールディスプレイ、黒色トナーを電気光学
物質として用いたトナーディスプレイ、あるいはヘリウムやネオンなどの高圧ガスを電気
光学物質として用いたプラズマディスプレイパネル（ＰＤＰ）など各種の電気光学装置に
本発明が適用される。
【００３５】
次に、本発明にかかる電気光学装置を用いた電子機器の例を説明する。
図１３は、この電気光学装置を用いたパーソナルコンピュータを示す斜視図である。こ
の図において、パーソナルコンピュータ６０は、キーボード６１を備えた本体部６２と、
本発明にかかる電気光学装置５を用いた表示部６３とを備えている。
また、本発明にかかる電気光学装置が採用され得る電子機器としては、上記のパーソナ
ルコンピュータの他にも、携帯電話機、液晶テレビ、ビューファインダ型・モニタ直視型
のビデオテープレコーダ、カーナビゲーション装置、ページャ、電子手帳、電卓、ワード
プロセッサ、ワークステーション、テレビ電話、ＰＯＳ端末、ディジタルスチルカメラな
ど各種の機器が挙げられる。
【図面の簡単な説明】
【００３６】
【図１】電気光学装置５の構成を示す図である。
【図２】走査線駆動回路２１から供給される信号を示す図である。
【図３】電気光学装置１の構成を示す図である。
【図４】電気光学パネル１０に表示される画像イメージを示す図である。
【図５】電気光学パネル１０に表示される画像の輝度分布を示した図である。
【図６】データ線駆動回路３１および３２の構成を示す図である。
【図７】制御装置４５の構成を示す図である。
【図８】配線の交差位置の例を示す図である。
【図９】配線の交差位置の例を示す図である。
【図１０】配線の交差位置の例を示す図である。
【図１１】データ信号の順番を示す図である。
【図１２】配線の交差の例を示す図である。
【図１３】電子機器の例を示す図である。
【符号の説明】
【００３７】
５…電気光学装置、１０…電気光学パネル、
２１…走査線駆動回路、３１、３２…データ線駆動回路、４０…制御装置、５０…電源回
路、
１１…走査線、１２…データ線、１６…画素回路、
３１１、３２１…電流生成回路、３１２、３２２…データ番号カウンタ、３１３、３２３
…アドレスデコーダ、３１４、３２４…ＣＰＵＩＦ、３１５、３２５…データバス、
Ｓ１、…、Ｓ２ｎ…ラッチ。
【図１】
2005157058.tif 000003
【図２】
2005157058.tif 000004
【図３】
2005157058.tif 000005
【図４】
2005157058.tif 000006
【図５】
2005157058.tif 000007
【図６】
2005157058.tif 000008
【図７】
2005157058.tif 000009
【図８】
2005157058.tif 000010
【図９】
2005157058.tif 000011
【図１０】
2005157058.tif 000012
【図１１】
2005157058.tif 000013
【図１２】
2005157058.tif 000014
【図１３】
2005157058.tif 000015